(57)【要約】      （修正有）【課題】マンコンベアで移動する利用者に対して、効果的に各種広告宣伝を提供することができるマンコンベアの情報伝達装置を得る。【解決手段】マンコンベアの両乗降口９，１０間を移動する踏段８と、音声伝達範囲が所定の範囲に限定され、踏段上の利用者に対して各種広告宣伝を音声により提供するスピーカ１２ａ、１２ｂとを備える。これにより、マンコンベアにより両乗降口間を移動する利用者に対して、音声によって効果的に各種広告宣伝を提供することができる。【選択図】図１
2007045565.tif 000002
【特許請求の範囲】
【請求項１】
マンコンベアの両乗降口間を移動する踏段と、音声伝達範囲が所定の範囲に限定され、前記踏段上の利用者に対して各種広告宣伝を音声により提供するスピーカとを備えたことを特徴とするマンコンベアの情報伝達装置。
【請求項２】
スピーカにより各種広告宣伝が提供される踏段上の利用者に対して、前記スピーカから提供される広告宣伝と同じ内容の広告宣伝を画像により提供する画像表示装置を備えたことを特徴とする請求項１に記載のマンコンベアの情報伝達装置。
【請求項３】
スピーカ及び画像表示装置はそれぞれ複数設けられるとともに、前記スピーカ及び前記画像表示装置から提供される各種広告宣伝の内容を、踏段の移動方向及び速度に合わせて順次隣接する前記スピーカ及び前記画像表示装置に切り換える制御手段を備えたことを特徴とする請求項２に記載のマンコンベアの情報伝達装置。
【請求項４】
マンコンベアの両乗降口間を移動する踏段と、音声伝達範囲が所定の範囲に限定され、前記踏段上の利用者に対して各種広告宣伝を音声により提供する第１スピーカと、音声伝達範囲が前記第１スピーカの前記音声伝達範囲とは異なる所定の範囲に限定され、前記踏段上の利用者に対して、前記第１スピーカから提供される広告宣伝とは異なる各種広告宣伝を音声により提供することができる第２スピーカとを備えたことを特徴とするマンコンベアの情報伝達装置。
【請求項５】
第１スピーカにより各種広告宣伝が提供される踏段上の利用者に対して、前記第１スピーカから提供される広告宣伝と同じ内容の広告宣伝を画像により提供する第１画像表示装置と、第２スピーカにより各種広告宣伝が提供される踏段上の利用者に対して、前記第２スピーカから提供される広告宣伝と同じ内容の広告宣伝を画像により提供する第２画像表示装置とを備えたことを特徴とする請求項４に記載のマンコンベアの情報伝達装置。
【請求項６】
第１スピーカ及び第１画像表示装置、並びに、第２スピーカ及び第２画像表示装置はそれぞれ複数設けられるとともに、前記第１スピーカ及び前記第１画像表示装置から提供される各種広告宣伝の内容を、踏段の移動方向及び速度に合わせて順次隣接する前記第１スピーカ及び前記第１画像表示装置に切り換え、前記第２スピーカ及び前記第２画像表示装置から提供される各種広告宣伝の内容を、前記踏段の移動方向及び速度に合わせて順次隣接する前記第２スピーカ及び前記第２画像表示装置に切り換える制御手段を備えたことを特徴とする請求項５に記載のマンコンベアの情報伝達装置。
【請求項７】
スピーカ、又は、第１スピーカ及び第２スピーカは、踏段上の利用者のみに限定して各種広告宣伝を提供する指向性スピーカであることを特徴とする請求項１から請求項６の何れかに記載のマンコンベアの情報伝達装置。
【発明の詳細な説明】
【技術分野】
【０００１】
この発明は、エスカレータや動く歩道等のマンコンベアに使用される情報伝達装置に関するものである。
【背景技術】
【０００２】
エスカレータや動く歩道等のマンコンベアに使用される従来の情報伝達装置には、マンコンベアで移動する利用者から見易くするため、利用者の乗るステップと同速度で移動するハンドレールの表面側に意思伝達事項が表示された表示媒体が装着されたもの（例えば、特許文献１参照）や、ステップのライザ部に上記表示媒体が装着されたもの（例えば、特許文献２参照）が提案されている。
【０００３】
また、エレベータの利用者又は運転手に対して音声により各種情報を提供するエレベータの案内装置として、エレベータの乗場上部やかご内の操作盤近傍の天井に超指向性スピーカを設置し、伝達範囲を限定して上記各種情報を提供するようにしたものも提案されている（例えば、特許文献３参照）。
【０００４】
【特許文献１】特開２０００−１０３５８５号公報
【特許文献２】特開２００１−２６１２７６号公報
【特許文献３】特開昭６３−２７２７６２号公報
【発明の開示】
【発明が解決しようとする課題】
【０００５】
特許文献１及び２記載のマンコンベアの情報伝達装置は、使用される表示媒体が視覚だけによって認知されるものであるため、搭乗時間の短いマンコンベアの利用者に対しては印象が弱く、あまり記憶に残らないという問題があった。
【０００６】
なお、特許文献３記載のエレベータの案内装置は、マンコンベアのように利用者が移動することがないエレベータに関するものであり、本発明とはその構成が全く異なるものである。
【０００７】
この発明は、上述のような課題を解決するためになされたもので、その目的は、マンコンベアで移動する利用者に対して、効果的に各種広告宣伝を提供することができるマンコンベアの情報伝達装置を提供することである。
【課題を解決するための手段】
【０００８】
この発明に係るマンコンベアの情報伝達装置は、マンコンベアの両乗降口間を移動する踏段と、音声伝達範囲が所定の範囲に限定され、踏段上の利用者に対して各種広告宣伝を音声により提供するスピーカとを備えたものである。
【発明の効果】
【０００９】
この発明は、マンコンベアの両乗降口間を移動する踏段と、音声伝達範囲が所定の範囲に限定され、踏段上の利用者に対して各種広告宣伝を音声により提供するスピーカとを備える構成としたことで、マンコンベアで移動する利用者に対して、効果的に各種広告宣伝を提供することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１における情報伝達装置を備えたマンコンベアの側面図であり、マンコンベアの中でも傾斜路を形成するエスカレータを示している。図１において、エスカレータ装置の自重及び積載荷重を支持するトラス構造等からなる主枠１には、中央部に傾斜路１ａが、また、上部に上部機械室１ｂ、下部に下部機械室１ｃがそれぞれ備えられている。この上部機械室１ｂには駆動装置２が設置されており、駆動装置２と、上部機械室１ｂに回動可能に設けられた駆動スプロケット３とに無端状の駆動チェーン４が巻き掛けられて、駆動装置２により駆動スプロケット３が駆動される。また、駆動スプロケット３の回動軸に固定された上部スプロケット５と下部機械室１ｃに回動可能に設けられた下部スプロケット６とには無端状の踏段チェーン７が巻き掛けられており、エスカレータの利用者が移動する際にその上面に乗る踏段８は、この踏段チェーン７の全周に渡って等間隔に取り付けられている。そして、踏段チェーン７に連結された上記踏段８は、上部機械室１ｂ上方の上部乗降口床９と下部機械室１ｃ上方の下部乗降口床１０との間を、駆動装置２により駆動される駆動スプロケット３の回動に連動して上下に移動する。また、主枠１の上部に設置された無端状の移動手摺１１は、踏段８に乗って移動する利用者並びに上下部乗降口で踏段８に乗降する利用者が保持するように、その上端部が、踏段８に対して同方向且つ同一速度で連動するように制御されている。
【００１２】
また、１２ａはエスカレータの上方に設けられ、下部乗降口から傾斜路１ａの下部にいる利用者に対して向けられた複数のスピーカ（第１スピーカ）であり、この複数のスピーカ１２ａは、下部乗降口及び傾斜路１ａ下部の間を移動する利用者がスピーカ１２ａからの案内放送を確実に聞き取ることができるように、その設置位置及び設置角度等が調整されている。また、１２ｂはエスカレータの上方に設けられ、傾斜路１ａの上部から上部乗降口にいる利用者に対して向けられた複数のスピーカ（第２スピーカ）であり、この複数のスピーカ１２ｂは、傾斜路１ａの上部及び上部乗降口間を移動する利用者がスピーカ１２ｂからの案内方向を確実に聞き取ることができるように、その設置位置及び設置角度等が調整されている。
【００１３】
即ち、スピーカ１２ａは、その音声伝達範囲が所定の範囲に限定され、下部乗降口にいる利用者や踏段８上にいる利用者に対して各種広告宣伝を音声により提供するように構成されている。一方、スピーカ１２ｂは、その音声伝達範囲がスピーカ１２ａの音声伝達範囲とは異なる所定の範囲に限定され、踏段８上の利用者や上部乗降口にいる利用者に対して、スピーカ１２ａから提供される広告宣伝とは異なる各種広告宣伝を音声により提供することができるように構成されている。なお、図１に示す情報伝達装置では、スピーカ１２ａの音声伝達範囲とスピーカ１２ｂの音声伝達範囲との間に所定の無音空間が形成されており、音声が混同してしまうことを防止している。
【００１４】
かかる構成を有する音声伝達装置を備えたマンコンベアでは、例えば、下部乗降口から上部乗降口へと移動する利用者に対して、先ず、スピーカ１２ａによる音声案内が行われ、この利用者に対して製品Ａ等の各種広告宣伝が提供される。そして、利用者がスピーカ１２ａの音声伝達範囲を通過してスピーカ１２ｂの音声伝達範囲に達すると、スピーカ１２ｂによる音声案内が行われ、例えば、製品Ａとは異なる製品Ｂ等の各種広告宣伝が提供される。
【００１５】
この発明の実施の形態１によれば、マンコンベアにより両乗降口間を移動する利用者に対して、音声によって効果的に各種広告宣伝を提供することができる。また、マンコンベアの上方に設置したスピーカ１２ａ及び１２ｂの音声伝達範囲が異なる所定の範囲に限定されているため、マンコンベアの下部と上部とで、別個独立の広告宣伝を提供することが可能となる。なお、実施の形態１では、マンコンベアの利用者に対して２種類の情報を提供するように構成しているが、移動距離の長いマンコンベアにおいては、スピーカ１２ａ及び１２ｂの音声伝達範囲とは異なる位置に音声伝達範囲を限定したスピーカをさらに追加することにより、利用者に対して３種類以上の情報を提供するように構成しても良い。
【００１６】
実施の形態２．
図２はこの発明の実施の形態２における情報伝達装置を備えたマンコンベアの側面図であり、実施の形態１と同様に、傾斜路１ａを有するエスカレータを示している。図２において、１３ａはエスカレータの側方の壁に設けられ、下部乗降口から傾斜路１ａ下部の間にいる利用者に対して、即ち、スピーカ１２ａにより各種宣伝広告が提供されるスピーカ１２ａの音声伝達範囲にいる利用者に対して、スピーカ１２ａから提供される広告宣伝と同じ内容の広告宣伝を画像により提供する画像表示装置（第１画像表示装置）であり、動画及び静止画等を表示することができるように構成されている。また、１３ｂはエスカレータの側方の壁に設けられ、傾斜路１ａ上部から上部乗降口の間にいる利用者に対して、即ち、スピーカ１２ｂにより各種宣伝広告が提供されるスピーカ１２ｂの音声伝達範囲にいる利用者に対して、スピーカ１２ｂから提供される広告宣伝と同じ内容の広告宣伝を画像により提供する画像表示装置（第２画像表示装置）であり、画像表示装置１３ａと同様に、動画及び静止画等を表示することができるように構成されている。なお、その他は実施の形態１のマンコンベアと同様の構成を有する。
【００１７】
かかる構成を有する音声伝達装置を備えたマンコンベアでは、例えば、下部乗降口から上部乗降口へと移動する利用者に対して、先ず、スピーカ１２ａによる音声案内が行われて、利用者に対して製品Ａ等の各種広告宣伝が提供されるとともに、画像表示装置１３ａに、スピーカ１２ａからの音声案内に関連した製品Ａについての動画が表示される。そして、利用者がスピーカ１２ａの音声伝達範囲を通過してスピーカ１２ｂの音声伝達範囲に達すると、スピーカ１２ｂによる音声案内が行われて、利用者に対して、例えば、製品Ｂ等の各種広告宣伝が提供されるとともに、画像表示装置１３ｂに、スピーカ１２ｂからの音声案内に関連した製品Ｂについての動画が表示される。なお、図３は図２に示す情報伝達装置の動作を説明するための図であり、マンコンベアに下部乗降口から乗車するタイミングと、スピーカ１２ａ及び画像表示装置１３ａ並びにスピーカ１２ｂ及び画像表示装置１３ｂから提供される広告宣伝内容との関係を示したものである。
【００１８】
この発明の実施の形態２によれば、マンコンベアにより両乗降口間を移動する利用者に対して、音声及び画像によって、視覚及び聴覚に訴える効果的な各種広告宣伝を提供することが可能となる。また、実施の形態２では、マンコンベアの上部と下部とで広告宣伝の内容を変えて利用者に対して２種類の情報を提供するように構成しているが、スピーカ及び画像表示装置をさらに追加して３種類以上の広告を提供することができるようにし、情報量を増やすことも可能である。なお、画像表示装置１３ａ及び１３ｂは、マンコンベアで移動する利用者が見易い位置であれば特にその設置場所が限定されるものではなく、例えば、マンコンベアのすぐ横の吹き抜け部分や、マンコンベア上部をドーム状にしてプロジェクタ等で映し出すようにしても同様の効果を奏することができる。その他は、実施の形態１と同様の効果を有する。
【００１９】
実施の形態３．
図４はこの発明の実施の形態３における情報伝達装置を備えたマンコンベアの側面図であり、実施の形態１及び２と同様に、傾斜路１ａを有するエスカレータを示している。図４において、１４ａはエスカレータの上方に設けられ、下部乗降口から傾斜路１ａの下部にいる利用者に対して向けられた複数の超指向性スピーカであり、この複数の超指向性スピーカ１４ａは、下部乗降口及び傾斜路１ａ下部の間を移動する乗客が超指向性スピーカ１４ａからの案内放送を確実に聞き取ることができるように、その設置位置及び設置角度等が調整されている。また、１４ｂはエスカレータの上方に設けられ、傾斜路１ａの上部から上部乗降口にいる利用者に対して向けられた複数の超指向性スピーカであり、この複数の超指向性スピーカ１４ｂは、傾斜路１ａの上部及び上部乗降口間を移動する利用者が超指向性スピーカ１４ｂからの案内方向を確実に聞き取ることができるように、その設置位置及び設置角度等が調整されている。
【００２０】
即ち、超指向性スピーカ１４ａ及び１４ｂは、それぞれの音声伝達範囲が両乗降口にいる利用者及び踏段８上の利用者のみに限定されており、マンコンベアの周囲への騒音を低減させることが可能となる。なお、その他は、実施の形態１及び２と同様の構成及び効果を奏する。
【００２１】
実施の形態４．
図５はこの発明の実施の形態４における情報伝達装置を備えたマンコンベアの側面図であり、実施の形態１乃至３と同様に、傾斜路１ａを有するエスカレータを示している。図５において、１５はエスカレータの上方に設けられ、両乗降口間を移動する利用者に対して向けられた複数の超指向性スピーカであり、この複数の超指向性スピーカ１５は、エスカレータの所定区間を移動する利用者が超指向性スピーカ１５からの案内放送を確実に聞き取ることができるように、その設置位置及び設置角度等が調整されている。なお、図５における超指向性スピーカ１５は、上記所定区間が両乗降口間となるように、下部乗降口の上方から上部乗降口の上方に渡って所定間隔毎に設置されている。
【００２２】
また、１６はエスカレータの側方の壁に設けられ、両乗降口間にいる利用者が、即ち、超指向性スピーカ１５により各種広告宣伝が提供される超指向性スピーカ１５の音声伝達範囲にいる利用者が見易いように配置された複数の画像表示装置であり、動画及び静止画等を表示することができるように構成されている。なお、図５における超指向性スピーカ１５の音声伝達範囲が両乗降口間に渡っているため、画像表示装置１６も両乗降口間にいる利用者が見ることができるように所定間隔毎に配置されている。
【００２３】
なお、図示されていないが、音声伝達装置には、超指向性スピーカ１５及び画像表示装置１６から提供される各種広告宣伝の内容を、踏段８の移動方向及び速度に合わせて順次隣接する超指向性スピーカ１５及び画像表示装置１６に切り換える制御手段が備えられている。
【００２４】
かかる構成を有する音声伝達装置を備えたマンコンベアでは、例えば、下部乗降口から利用者がマンコンベアに搭乗した場合、この利用者は、一番下方に設置された画像表示装置１６ａを見ることとなる。したがって、画像表示装置１６ａから製品Ａに関する広告宣伝が提供されている場合、利用者の上方に設置された超指向性スピーカ１５ａからは画像表示装置１６ａに対応した製品Ａに関する音声が提供される。そして、利用者が踏段８の上昇と共に移動すると、制御手段は、踏段８の移動方向及び移動速度に合わせて、即ち、利用者の移動に合わせて、画像表示装置１６に映し出される画像と超指向性スピーカ１５から流れる音声とを、隣接する画像表示装置１６ｂ、１６ｃへと、また、超指向性スピーカ１５ｂ、１５ｃへと順番に切り替えていく。
【００２５】
また、傾斜路１ａの途中にいる利用者に対しても、上記と同様の動作がなされる。即ち、この利用者は、利用者の真横に配置された画像表示装置１６ｄを見ることとなるため、利用者の上方に配置された超指向性スピーカ１５ｄからは、画像表示装置１６ｄに映し出されている製品Ｂの広告宣伝に対応した音声が提供される。そして、利用者が踏段８の上昇と共に移動すると、制御手段は、踏段８の移動方向及び移動速度に合わせて、即ち、利用者の移動に合わせて、画像表示装置１６に映し出される画像と超指向性スピーカ１５から流れる音声とを、隣接する画像表示装置１６ｅ、１６ｆへと、また、超指向性スピーカ１５ｅ、１５ｆへと順番に切り替えていく。なお、図６は図５に示す情報伝達装置の動作を説明するための図であり、マンコンベアに下部乗降口から乗車するタイミングと、超指向性スピーカ１５及び画像表示装置１６から提供される広告宣伝内容との関係を示したものである。
【００２６】
かかる構成を有することにより、階高の低いエスカレータにおいても、移動時間が短いことにより広告宣伝が途中で途切れるようなことを防止することができ、効果的に各種宣伝広告を提供することが可能となる。なお、実施の形態１乃至３のようにスピーカと画像表示装置が分割構成されていないが、マンコンベア全体として数種の広告宣伝が可能となる。なお、制御手段については、超指向性スピーカ１５と画像表示装置１６との連動さえ取れるような構成を有していれば問題とならないため図示は省略したが、例えば、各１５秒程度で構成された数種類の広告画像及び音声をエンドレスに提供する方法と、マンコンベアに利用者が乗車したことを検出して、広告画像及び音声を提供する方法とが考えられる。
【００２７】
また、移動距離が非常に長いマンコンベアにおいては、実施の形態４に示した情報伝達装置を、実施の形態２に示すように並設しても良い。かかる場合には、上記制御手段は、一方のスピーカ及び画像表示装置から提供される各種宣伝広告の内容を、踏段８の移動方向及び移動速度に合わせて順次隣接する一方のスピーカ及び画像表示装置に切り換え、他方のスピーカ及び画像表示装置から提供される各種広告宣伝の内容を、踏段８の移動方向及び移動速度に合わせて順次隣接する他方のスピーカ及び画像表示装置に切り換えるように構成される。
【図面の簡単な説明】
【００２８】
【図１】この発明の実施の形態１における情報伝達装置を備えたマンコンベアの側面図である。
【図２】この発明の実施の形態２における情報伝達装置を備えたマンコンベアの側面図である。
【図３】図２に示す情報伝達装置の動作を説明するための図である。
【図４】この発明の実施の形態３における情報伝達装置を備えたマンコンベアの側面図である。
【図５】この発明の実施の形態４における情報伝達装置を備えたマンコンベアの側面図である。
【図６】図５に示す情報伝達装置の動作を説明するための図である。
【符号の説明】
【００２９】
１  主枠
１ａ  傾斜路
１ｂ  上部機械室
１ｃ  下部機械室
２  駆動装置
３  駆動スプロケット
４  駆動チェーン
５  上部スプロケット
６  下部スプロケット
７  踏段チェーン
８  踏段
９  上部乗降口床
１０  下部乗降口床
１１  移動手摺
１２ａ、１２ｂ  スピーカ
１３ａ、１３ｂ、１６、１６ａ〜１６ｆ  画像表示装置
１４ａ、１４ｂ、１５、１５ａ〜１５ｆ  超指向性スピーカ
【図１】
2007045565.tif 000003
【図２】
2007045565.tif 000004
【図３】
2007045565.tif 000005
【図４】
2007045565.tif 000006
【図５】
2007045565.tif 000007
【図６】
2007045565.tif 000008